(57)【特許請求の範囲】
【請求項１】
芝生などの植物に流体を噴霧するためのノズルであって、
（ａ）フランジと、中央セクションと、先端部で終端する円筒状延伸部と、その中を通って延在する内腔と、複数の空気排出開口とを有する外側部材であって、前記先端部が外側表面と、軸、頂点、ならびに第１および第２の側部を有するスロットによって画定される放出オリフィスとを含み、前記側部のそれぞれが第１および第２の対応する壁部材によって画定され、
（ｉ）前記第１および第２の側部の前記第１壁部材が、前記頂点からそれらの各側部に向かって、互いに鋭角で、「Ｖ」字構成で、前記頂点から離間された各対向縁部まで延在し、
（ｉｉ）前記各第２壁部材のそれぞれが、対応する各第１壁部材の前記縁部から、対応する第１壁部材に対して鈍角で、前記先端部の外側表面に向かって延在する、外側部材と、
（ｂ）前記外側部材の前記内腔に挿入可能な内側部材であって、フランジと、中央リングと、延伸部と、内腔と、少なくとも１つの開口であって、液体が前記内側部材の前記内腔に通され、前記外側部材の前記延伸部に送り込まれ、前記外側部材の前記先端部の前記放出オリフィスから出るとき、空気を前記内側部材の前記内腔に排出するために前記外側部材の前記複数の空気排出開口と協働する少なくとも１つの開口とを有する内側部材と
を含むノズル。
【請求項２】
噴霧器ブーム上のアレイに配置された複数の請求項１に記載のノズル。
【請求項３】
複数の請求項１に記載のノズルを用いて流体を噴霧することを含む、噴霧適用の間様々な高さで作動するとき噴霧ブーム上に配列された複数の噴霧ノズル間の変化係数を低減するための方法。
【請求項４】
傾斜した表面を有する芝生に流体を噴霧するための方法であって、
請求項１に記載のノズルを用いて１１０〜１３０度の間の扁平な扇状噴霧角度および４．５〜９．０度の間の傾斜角度を使用して前記流体を噴霧することを含む方法。
【請求項５】
前記流体を噴霧することが約１２７度の扁平な扇状噴霧角度を使用して前記流体を噴霧することを含む、請求項４に記載の方法。
【請求項６】
前記流体を噴霧することが約１２０度の扁平な扇状噴霧角度を使用して前記流体を噴霧することを含む、請求項４に記載の方法。
【請求項７】
前記流体を噴霧することが約４．５度の傾斜角度を使用して前記流体を噴霧することを含む、請求項４に記載の方法。
【請求項８】
前記流体を噴霧することが約６．５度の傾斜角度を使用して前記流体を噴霧することを含む、請求項４に記載の方法。
【請求項９】
前記流体を噴霧することが約９．０度の傾斜角度を使用して前記流体を噴霧することを含む、請求項４に記載の方法。
【請求項１０】
前記傾斜角度が、後方に面する角度である、請求項４に記載の方法。
【発明の詳細な説明】
【技術分野】
【０００１】
本開示は、様々な農薬を芝生表面に噴霧適用するための装置および方法に関し、特に、様々な噴霧ブーム高さでおよび／または傾斜した地形を有する地面全体わたって、芝草などの地表面により均一に噴霧するための方法及び噴霧ノズルに関する。
【背景技術】
【０００２】
傾斜および起伏を有する地面全体にわたる従来の噴霧ノズルおよび既存の装置を用いた芝草への農薬の適用は、不均一な噴霧散布を生じる可能性がある。さらに、風が噴霧ドリフトを引き起こす恐れがあり、その際ノズルから噴霧される流体はその意図した表面に到達しない。これは非効率的な噴霧と流体の不均一な適用をもたらし、その際目標表面の一部は多すぎるまたは少なすぎる流体を受ける。例えば、水、肥料、有害生物防除剤等などの流体を適用するとき、目標の土壌および／または茎葉は、適用される流体の均一な散布を受けない可能性がある。
【０００３】
これら問題のいくつかに対処するノズルが開発されてきた。例えば、空気含有ノズルは空気と混合された流体の液滴を生成し、これは噴霧ドリフトを軽減し、流体の表面被覆を改善することができる。しかしながら、これら従来型ノズルは、平坦な表面に噴霧するために使用されるとき適切に機能するが、表面および起伏に、すなわち噴霧ブーム高さが変化し続けるか地面に至るまで低い場所に噴霧するために使用されるとき、満足のいく被覆を実現できない。例えば、ノズルが別の表面領域より高いか低いある表面領域のさらに先にあるときなど、不均一な農薬散布があるとき、縞が生じる場合がある。これは典型的に、噴霧される表面が傾斜、他の高低差を有するとき、すなわち平坦でないときに生じ、それは例えば典型的にはゴルフコース内にある。
【発明の概要】
【発明が解決しようとする課題】
【０００４】
従って、必要とされるものは、傾斜したすなわち平坦でない表面全体に適切な被覆を提供可能であり、および／または従来型噴霧ブーム上で変化する高さで複数で使用されるとき改善された変化係数を提供可能である噴霧ノズルである。さらに必要とされるものは、ノズルアレイの変化係数を改善する方法、および傾斜したすなわち平坦でない表面に噴霧するための方法である。これらおよび他の問題が存在する。
【課題を解決するための手段】
【０００５】
本発明の様々な実装形態によれば、傾斜した表面を有する芝生などの表面に噴霧するための様々な方法および装置が記載される。
【０００６】
本発明は、液圧ノズルを含む芝生噴霧器用ノズルを提供し、そのオリフィスは、半球状に終端された穴であるがスロット切断部の相互作用によって形成され、スロットは内側に曲げられたＶ字の形状をとり、その側部は中心に向かって傾けられ、切頭楕円形オリフィス孔（ｔｒｕｎｃａｔｅｄ  ｅｌｌｉｐｔｉｃａｌ  ｏｒｉｆｉｃｅ）（平坦な側部を有する楕円形）を形成する。１つの実装形態において、曲げられたＶ字切断部の側部は、スロットの側部の長さの約１／３の地点で傾けられるまたは曲げられる。
【０００７】
特定の実施形態では、軸、頂点、および第１および第２側部を有するスロットによって画定される放出オリフィス、およびここで前記側部のそれぞれは第１および第２の対応する壁部材によって画定され、ここで、
（ｉ）前記第１および第２の側部の前記第１壁部材は、前記頂点からそれらの各側部に向かって、互いに鋭角で、「Ｖ」字構成で、頂点から離間された各対向縁部まで延在し、
（ｉｉ）前記各第２壁部材のそれぞれは、対応する各第１壁部材の縁部から、互いに鈍角で、先端部の外側表面に向かって延在し、
（ｂ）外側部材の内腔に挿入可能な内側部材であって、フランジと、中央リングと、延伸部と、内腔と、少なくとも１つの開口であって、液体が内側部材の内腔に通され、外側部材の延伸部に送り込まれ、外側部材の先端部の放出オリフィスから出るとき、空気を内側部材の内腔に排出するために外側部材の前記複数の空気排出開口と協働する少なくとも１つの開口とを有する内側部材。
【０００８】
別の実施形態では、複数の本発明的ノズルは、芝生噴霧ブーム上の１つのアレイ内で関連付けられ、各ノズルのそれぞれは、以下のものを含む。
（ａ）フランジと、中央セクションと、先端部で終端する円筒状延伸部と、その中を通って延在する内腔と、複数の空気排出開口とを有する外側部材であって、前記先端部が外側表面と、軸、頂点、ならびに第１および第２の側部を有するスロットによって画定される放出オリフィスとを含み、前記側部のそれぞれが第１および第２の対応する壁部材によって画定され、
（ｉ）前記第１および第２の側部の前記第１壁部材が、前記頂点からそれらの各側部に向かって、互いに鋭角で、「Ｖ」字構成で、頂点から離間された各対向縁部まで延在し、
（ｉｉ）前記各第２壁部材のそれぞれが、対応する各第１壁部材の縁部から、互いに鈍角で、先端部の外側表面に向かって延在する外側部材、
（ｂ）外側部材の内腔に挿入可能な内側部材であって、フランジと、中央リングと、延伸部と、内腔と、少なくとも１つの開口であって、液体が内側部材の内腔に通され、外側部材の延伸部に送り込まれ、外側部材の先端部の放出オリフィスから出るとき、空気を内側部材の内腔に排出するために外側部材の前記複数の空気排出開口と協働する少なくとも１つの開口とを有する内側部材。ノズル先端部の半球状に終端された穴であるが両側の４つの壁(各側に２つの壁)で仕切られたスロット切断部の相互作用によって形成された放出オリフィスの構造の形状は、切頭楕円形である。
【０００９】
いくつかの実装形態では、切頭楕円形オリフィスを有するノズルは、噴霧車両の前方移動を補うために、１１０〜１３０度の間の扁平な扇状噴霧角度および４．５〜９．０の傾斜角度を噴霧するように構成されてもよい。いくつかの実装形態では、ノズルは約１２７度の扁平な扇状噴霧角度を使用して流体を噴霧し得る。いくつかの実装形態では、ノズルは約１２０度の扁平な扇状噴霧角度を使用して流体を噴霧し得る。いくつかの実装形態では、ノズルは約４．５度の傾斜角度を使用して流体を噴霧し得る。いくつかの実装形態では、ノズルは約６．５度の傾斜角度を使用して流体を噴霧し得る。いくつかの実装形態では、ノズルは約９．０度の傾斜角度を使用して流体を噴霧し得る。いくつかの実装形態では、傾斜角度は、後方に面する角度を含み得る。
【００１０】
いくつかの実装形態では、例えば、上記のノズルを使用することによってなど、傾斜した表面に噴霧するために様々な方法が使用されてもよい。いくつかの実装形態では、傾斜した表面を有する芝生に流体を噴霧する方法は、１１０〜１３０度の間の扁平な扇状噴霧角度および４．５〜９．０の傾斜角度を使用して流体を噴霧することを含み得る。いくつかの実装形態では、流体を噴霧することは、約１２７度の扁平な扇状噴霧角度を使用して流体を噴霧することを含み得る。いくつかの実装形態では、流体を噴霧することは、約１２０度の扁平な扇状噴霧角度を使用して流体を噴霧することを含み得る。いくつかの実装形態では、流体を噴霧することは、約４．５度の傾斜角度を使用して流体を噴霧することを含み得る。いくつかの実装形態では、流体を噴霧することは、約６．５度の傾斜角度を使用して流体を噴霧することを含み得る。いくつかの実装形態では、流体を噴霧することは、約９．０度の傾斜角度を使用して流体を噴霧することを含み得る。いくつかの実装形態では、傾斜角度は、後方に面する角度を含み得る。
【００１１】
本明細書の一部に組み込まれ、本明細書の一部を構成する添付図面は、本発明の実装形態の１つまたは複数の例を示し、および本記載と一緒に、本発明の様々な原理および態様を説明する働きをする。
【図面の簡単な説明】
【００１２】
【図１】本発明の様々な実装形態による、芝生ノズルの側面図を示す。
【図２】本発明の様々な実装形態による、芝生ノズルの上面図を示す。
【図３】図１２に示されるようなノズルオリフィスと適合されるとき本発明の様々な実装形態によるものと対応する、芝生ノズルの底面図を示す。
【図４】本発明の様々な実装形態による、芝生ノズルの外側部材の断面図を示す。
【図５】本発明の様々な実装形態による、芝生ノズルの内側部材の側面図を示す。
【図６】本発明の様々な実装形態による、芝生ノズルの内側部材の断面図を示す。
【図７】本発明の様々な実装形態による、芝生ノズルの半球状先端部の断面図を示す。
【図８】本発明の様々な実装形態による、芝生ノズルの半球状先端部の側面図を示す。
【図９Ａ−９Ｂ】本発明の様々な実装形態による、傾斜した地形を有する表面を含む表面に噴霧するためのシステムの概略図を示す。
【図１０】平坦化側部を有する楕円形オリフィスをもたらす半球状止まり穴を通過する曲げられたＶ字形切断部の結果であるノズルオリフィスの斜視図を示す。
【図１１】本発明の様々な実装形態による、平坦化側部を有する楕円形オリフィスをもたらす半球状止まり穴を通過する曲げられたＶ字形切断部の結果であるノズルオリフィスの側面(点で描いた内部)図を示す。
【図１２】本発明の様々な実装形態による、平坦化側部を有する楕円形オリフィスをもたらす半球状止まり穴を通過する曲げられたＶ字形切断部の結果であるノズルオリフィスの底面図を示す。
【図１３】５００ｍｍ高さでの従来型扇状先端部単一パターン試験を示すチャートである。
【図１４】本発明の様々な実装形態による、扇状先端部単一パターン５００ｍｍ高さ試験を示すチャートである。
【図１５】６７０ｍｍ高さでの従来型扇状先端部５個ノズルアレイ変化試験を示すチャートである。
【図１６】５００ｍｍ高さでの従来型扇状先端部５個ノズルアレイ変化試験を示すチャートである。
【図１７】３００ｍｍ高さでの従来型扇状先端部５個ノズルアレイ変化試験を示すチャートである。
【図１８】本発明の様々な実装形態による、６７０ｍｍ高さでの扇状先端部５個ノズルアレイ変化試験を示すチャートである。
【図１９】本発明の様々な実装形態による、５００ｍｍ高さでの扇状先端部５個ノズルアレイ変化試験を示すチャートである。
【図２０】本発明の様々な実装形態による、３００ｍｍ高さでの扇状先端部５個ノズルアレイ変化試験を示すチャートである。
【発明を実施するための形態】
【００１３】
本発明の様々な実装形態によれば、植物、および傾斜した表面で生長する芝を含む芝などの他の茎葉に、特にゴルフコースの芝に噴霧するための様々な方法および装置が開示される。
【００１４】
従来の芝生ノズルは、垂直に下方に噴霧される１１０度の扇状角度を含み得、および半球状に終端された穴であるがＶ字形スロット切断部の相互作用によって形成されたオリフィスを有する。これら芝生ノズルは平坦な表面で適切に機能したが、傾斜した表面に噴霧するとき縞が生じた。さらに、複数のそのようなノズルが噴霧ブーム上のアレイとして使用されるとき、複数のそのようなノズルに噴霧することの間の劣った変化係数が生じ得る。
【００１５】
図１〜６は、本発明の様々な実装形態による、芝生ノズル１の様々な図を示す。図４、６および７は、面Ａ−Ａに沿ったノズル１の様々な断面図を示す。図７〜８は、本発明の様々な実装形態による、芝生ノズル１の半球状先端部の様々な図を示す。図１〜８を参照すると、ノズル１は外側部材２と内側部材３とを有する。ノズル１は、標準ＩＳＯノズルを受け入れて保持するように設計されたホルダまたはキャップ（不図示）内に適合するように設計される。従って、ノズル１は、標準的なブームおよび他の送達機構に取り付けることができる。
【００１６】
いくつかの実装形態では、外側部材２はフランジ４および中央セクション５を含み、それぞれ標準的なキャップ設計と協働するように寸法決めされ成形されている。特に、中央セクション５は開口内に適合するように設計され、キャップおよびフランジ４はキャップの表面と係合し、ノズル１が確実にキャップに装着され続けるようにする。
【００１７】
いくつかの実装形態では、外側部材２は、半球状先端部８で終端する全体的に円筒状の延伸部６を含む。先端部８は、第１および第２の側部１２および１４によって形成された実質的に曲げられたＶ字形放出スロットを有する。図１１に示されるように、第１の側部１２および第２の側部１４は、対向する第１（１０２および１１２）および第２（１０６および１０８）の壁部材によって画定される。第１壁部材１０２／１１２は、スロット１０の頂点１００から、互いに鋭角で、頂点１００から離れた各対向縁部（１１０／１０４）まで延在する。一実施形態では、縁部（１１０／１０４）は、スロットの側部の長さの約１／３の地点で離される。前記各第２壁部材（１０６／１０８）のそれぞれは、対応する各第１壁部材の縁部（１１０／１０４）から、互いに鈍角で、先端部の外側表面１１６に向かって延在する。側部１２はノズル１の長手（垂直）軸と概ね平行であるが、垂直軸からオフセットさせることができる。側部１４はこの軸と平行でなく、代わりに、約２１〜２９．５度の範囲の角度で長手軸から延在する。代わりに、これら角度は、スロットの軸（図１１、アイテム１１４）に対して測定される。どちら側が平行でありどちら側が斜めであるかを明確に示すために、外部突起１６が提供される（図１）。示されるように、突起１６は側部１２の側にあり、側部１４の側の反対にある。
【００１８】
いくつかの実装形態では、ノズル１は、中央セクション５と円筒延伸部６の間に複数の開口１７を含む。これら実装形態では、開口１７は、空気が流れストリーム中へ排出されるための経路を提供する。いくつかの実装形態では、複数の開口（例えば２つ）を外部突起１６から離れたノズル円筒本体の側部に配置可能であり、これは例えば、欧州登録共同体意匠（Ｅｕｒｏｐｅａｎ  ｒｅｇｉｓｔｅｒｅｄ  ｃｏｍｍｕｎｉｔｙ  ｄｅｓｉｇｎ）ＲＣＤ００１３７７９１５−０００１号（側部の空気排出開口部）に示されるノズル設計で見ることができるようなものである。
【００１９】
いくつかの実装形態では、外側部材２は内腔１８を含み（例えば図４参照）、内腔１８はフランジ４の領域でより広く、中央セクション５の領域でより小さい直径を有し、延伸部６の領域でさらにより小さい。
【００２０】
フランジ４の領域で内腔１８を囲むのはチャネル１９であり、チャネル１９は内側部材３を外側部材２に固定するために使用される。
【００２１】
図５および６は、内側部材３の構成を示す。内側部材３は、外側部材２のチャネル１９内に適合する突起２１を有するフランジ２０を有する。内側部材３はまた、中央リング２２および延伸部２４を有する。延伸部２４とリング２２の間の空間２７は全体的に開放されている。支柱２５および２６の対がリング２２および延伸部２４を離間した関係に保つ。
【００２２】
図６は面Ａ−Ａに沿った断面で示され、本発明の様々な実装形態による内側部材３を通した内腔２８の形状を示している。示されるように、内腔２８はフランジ２０の領域で円錐台部分３０を有する。
【００２３】
内腔２８はリング２２の領域で円筒セクション３２まで狭くなり、延伸部２４の領域で円錐台セクション３４を有する。
【００２４】
内側部材および外側部材が組み立てられると、内側部材３の延伸部２４の端部は、外側部材２の延伸部６の中に配置される。また、チャンバが、内側部材３の延伸部２４の外壁と、外側部材２の中央セクション５の内壁との間に形成される。このチャンバは、外側部材２の開口１７、および、リング２２と内側部材３の延伸部２４との間の空間との組み合わせにおいて、流路を形成し、それを通して空気を、ノズル１を通過する液体ストリームに排出可能である。この液体ストリームは内側部材３の内腔２８を通過し、空気と混合し、外側部材２の延伸部６を通過し、スロット１０を通過する。流路およびスロット１０の形状の特性（その例は図７、８および１１に示されている）が、ノズル１から出る流体に、ブームが様々な角度で後方に傾斜されたような同一の動きを与える。換言すると、いくつかの実装形態において、スロット１０の寸法は、後方傾斜角度が得られるように構成可能である。
【００２５】
図７および８は本発明の様々な実装形態によるスロット１０の寸法を示している。図７を参照すると、先端部８が面Ａ−Ａに沿った断面で示されている。延伸部２４の内腔はスロット１０と流体連通している。いくつかの実装形態では、壁１２に沿って、スロット１０は、幅寸法３２と、全体的に延伸部６に対して垂直に向けられる高さ寸法３４とを有する。幅寸法３２および高さ寸法３４は一緒に、壁１２に沿ったスロット１０の寸法を、切頭楕円形構造（図１２、アイテム１２０）で画定する。図８を参照すると、角度３６および３８は一緒に、側部から見たようなスロット１０の開口を画定する。角度３６は、それによって壁１４が垂直軸（図８中線Ａ−Ａによって示され、面Ａ−Ａも定める）からオフセットされる角度を示す。垂直軸は延伸部６と概ね平行に延在する。角度３８は、それによって壁１２が垂直軸からオフセットされる角度を示す。寸法３２と３４、および角度３６と３８は一緒に、傾斜角度およびスロット１０から放出される扇状噴霧角度を決定する。
【００２６】
表１は寸法３２と３４（ミリメートルで測定）、および角度３６と３８（度で測定）の様々な例を示し、適切な寸法の様々なノズル本体と一緒に使用されるとき様々な傾斜角度と扇状噴霧角度を得ることができる。寸法３２、３４および角度３６、３８のそれぞれは、実質的にまたは「ほぼ」（すなわち、＋／−範囲内）表１に示されるような値を有し得る。示されるように、いくつかの実装形態では、壁１２は１．２〜２．５度だけ垂直軸からオフセットされてもよい。
【００２７】
【表１】
0006388601.tif 000002
【００２８】
図７〜８および表１に示されるスロット１０の寸法は、単なる例であり、それらの互いの相対的関係が、認識され得るように、適切にスケーリング／保たれる限り、調整されてもよい。従って、寸法は、本明細書に開示される寸法に基づいて特定の必要性に従って修正されてもよい。
【００２９】
好ましい実施形態により構成されたノズルは、様々な利点を提供する。第一に、そのようなノズルは、化学物質の正しい送達角度をもたらすようにプリセットされ、それにより、本発明的ノズルまたはそのアレイが作物列への広範な噴霧に使用される場合、化学物質が作物の下に隠れている雑草に到達するように、作物による覆いへの改良された侵入を提供する。第二に、本発明のノズルは、標準的なブームおよび標準的なノズル本体ホルダまたはキャップに適合する。第三に、ノズルを交換するのに工具を必要としない。第四に、本発明的曲折Ｖ字形スロット構成は、本発明の切頭楕円形ノズルオリフィスが、従来型ノズルと比べて、改良された変化係数を有する噴霧パターンを送達することを可能にする。最後に、本発明的ノズルは、異なるＩＳＯまたは他の寸法のキャップ、ホルダもしくは構成に適合するように、様々な寸法または設計で構成可能である。例えば、欧州ＲＣＤ００１３７７９１５−０００１号に示されるものなどのノズル設計は、本発明によるノズルオリフィスをもたらす曲折Ｖ字形スロット構成で修正可能であり、本発明の範囲内と考えられる。
【００３０】
本発明の様々な実装形態によれば、１などの本発明によるノズルまたは異なる設計（例えば欧州ＲＣＤ００１３７７９１５−０００１号）によるノズルを望むとおりに使用することによってなど、傾斜した表面を含む表面に噴霧するために様々な方法を使用してもよい。いくつかの実装形態では、傾斜した表面を有し得る芝生に流体を噴霧するための方法は、１１０〜１３０度の間の扁平な扇状噴霧角度および４．５〜９．０度の間の傾斜角度を使用して流体を噴霧することを含み得る。いくつかの実装形態では、流体を噴霧することは、約１２７度の扁平な扇状噴霧角度を使用して流体を噴霧することを含み得る。いくつかの実装形態では、流体を噴霧することは、約１２０度の扁平な扇状噴霧角度を使用して流体を噴霧することを含み得る。いくつかの実装形態では、流体を噴霧することは、約４．５度の傾斜角度を使用して流体を噴霧することを含み得る。いくつかの実装形態では、流体を噴霧することは、約６．５度の傾斜角度を使用して流体を噴霧することを含み得る。いくつかの実装形態では、流体を噴霧することは、約９．０度の傾斜角度を使用して流体を噴霧することを含み得る。いくつかの実装形態では、傾斜角度は後方に面する角度を含み得る。
【００３１】
図９Ａは、本発明の様々な実装形態による、車両９０と結合された複数の空気含有ノズル１（ノズル１Ａ、１Ｂ、１Ｃとして図９Ａに示されるが、５、１０、１５またはそれ以上のアレイなど他の数のノズルを使用してもよい）の例を示す。示されるように、貯蔵庫１２０が車両９０に取り付けられる、または車両９０と一緒に形成される。貯蔵庫１２０は、芝などの葉を全体的に含む表面に噴霧される流体を含有し得る（すなわち流体源であり得る）。流体は、限定しないが、水、肥料、茎葉保護剤（例えば有害生物防除剤、殺菌・殺カビ剤等）、および／または表面に噴霧可能な他の液体などのいずれかの液体を含み得る。車両９０は操縦のために逆方向（「Ｒ」）に時折移動し得るが、流体は、車両９０が全体的に前方方向（「Ｆ」）に移動する間、適用される。
【００３２】
本発明のいくつかの実装形態では、ブーム９４が貯蔵庫１２０に結合され、取り付けられたノズル１（空気含有ノズル１Ａ、空気含有ノズル１Ｂおよび空気含有ノズル１Ｃとして図１に示される）を介して散布するために流体を受け取り、その様々な実装形態が本明細書に記載される。ブーム９４は、概ね、しかし必ずではなく、図１Ａに示されるように車両９０の後部に隣接する。
【００３３】
図９Ｂは、本発明の様々な実装形態による、図９Ａに示される複数のノズル１の１つ（ノズル１Ａなど）の概略的な立面図を示す。ノズル１は、図９Ｂにおいて、フランジ４を介してブーム９４に結合される向きで示されている。換言すると、ノズル１は図９Ｂにおいて使用的な構成で示されている。本発明のいくつかの実装形態では、スロット１０は、表１に列記されたものなど傾斜した表面に噴霧するのに適した様々な扇状の角度を有する扁平な扇状の構造で流体を噴霧させる（「Ｓ」）。本発明のいくつかの実装形態では、扁平な扇状の構造は、概ね１１０〜１３０度の扇状の角度を有する。
【００３４】
本発明のいくつかの実装形態では、空気含有ノズル１（図１）は、空気含有ノズル１から地面までの垂直線に対して後方に面する角度９６で、扁平な扇状構造を噴霧する（例えば断面線Ａ−Ａとして図８および９Ｂに示されるノズル）。換言すると、流体を表面に向けて真直ぐ下に、およびノズル１の中心を通って平行に概ね延びる線Ａ−Ａに沿って噴霧する代わりに、ノズルは流体Ｓを逆方向Ｒの方に線Ａ−Ａに対して後方に面する角度９６で噴霧するように構成される。例えば、取り付けられると、またはブーム９４と結合されると、空気含有ノズル１は流体Ｓを逆方向に向けて噴霧する。いくつかの実装形態では、後方に面する角度９６は約４．５〜９．０度の範囲であり得る。
【００３５】
他の実装形態では、図１１に記載されるような曲折Ｖ字形スロットと図１２に示されるような切頭楕円形噴霧オリフィス１２０とを有する複数のノズルが、ブーム９４に関連付けられ、取り付けられ、または結合され、アレイのノズルの噴霧パターン間の変化係数に驚くべき改善が観察され得る。
【００３６】
そうすることによって、傾斜した表面に噴霧することまたはブーム高さの変化に関連する問題は、軽減され得る。
【実施例】
【００３７】
以下の例は、説明のために提供され、本発明の範囲を限定するものとして解釈すべきでない。選抜方法の概要：ＩＳＯ５６８２−１および／またはＩＳＯ／ＷＤ５６８２−１の方法に準拠「作物保護のための装置−噴霧装置−パート１：、様々な高さで動作する噴霧ブーム上の複数の噴霧ノズル間の変化係数が試験される。５個のノズルが試験台で使用される。試験台のスロットの幅を除き、ＩＳＯ５６８２−１および／またはＩＳＯ／ＷＤ５６８２−１の試験方法に準拠する。
【００３８】
図１３は、５００ｍｍ高さでの従来型扇状先端部単一パターン試験を示すチャートである。
【００３９】
図１４は、本発明の様々な実装形態による、扇状先端部単一パターン５００ｍｍ高さ試験を示すチャートである。
【００４０】
図１５は、６７０ｍｍ高さでの従来型扇状先端部５個ノズルアレイ変化試験を示すチャートである。
【００４１】
図１６は、５００ｍｍ高さでの従来型扇状先端部５個ノズルアレイ変化試験を示すチャートである。
【００４２】
図１７は、３００ｍｍ高さでの従来型扇状先端部５個ノズルアレイ変化試験を示すチャートである。
【００４３】
図１８は、本発明の様々な実装形態による、６７０ｍｍ高さでの扇状先端部５個ノズルアレイ変化試験を示すチャートである。
【００４４】
図１９は、本発明の様々な実装形態による、５００ｍｍ高さでの扇状先端部５個ノズルアレイ変化試験を示すチャートである。
【００４５】
図２０は、本発明の様々な実装形態による、３００ｍｍ高さでの扇状先端部５個ノズルアレイ変化試験を示すチャートである。
【００４６】
芝生ノズルとして本明細書に記載したが、傾斜した表面に噴霧するためのノズルおよび方法は、傾斜した地形を有するいずれかの表面に噴霧するために使用されてもよい。異なる図面中に現れる１つの参照符号は、異なる図面中の同一の特徴、構造または特性を表す。例えば、異なる図面は、空気含有ノズルの異なる見た目を示し得るが、ここで便宜上、１つの図面が、先行する図面からの参照符号を再使用し得る。従って、２つ以上の異なる図面に現れる１つの参照符号は、先行する図面に記載されるものと同じ特徴、構造または特性を示す。
【００４７】
当業者によって認識され得るように、一般的慣行に従い、本明細書で考察される図面の様々な特徴は、必ずしも同じ縮尺比で描かれておらず、図面の様々な特徴、構造または特性のその寸法は、本明細書に記載される本発明の様々な実装形態をより明確に示すために誇張または縮小されている場合がある。
【００４８】
本発明の実装形態は、特定の特徴、構造または特性を含むように記載され得るが、すべての態様または実装形態は、特定の特徴、構造または特性を必ずしも含まない場合もある。さらに、特定の特徴、構造または特性が、ある態様または実装形態に関連して記載されるとき、そのような特徴、構造または特性は、明白に記載されているかどうかにかかわらず、他の実装形態に関連して含まれ得ることが理解される。従って、様々な変更形態および修正形態が、本発明の範囲および趣旨から逸脱することなく、提供された記載に対してなされてもよい。従って、明細書および図面は、単なる例とみなされるべきであり、本発明の範囲は添付の特許請求の範囲によってのみ決定される。
【図１】
0006388601.tif 000003
【図２】
0006388601.tif 000004
【図３】
0006388601.tif 000005
【図４】
0006388601.tif 000006
【図５】
0006388601.tif 000007
【図６】
0006388601.tif 000008
【図７】
0006388601.tif 000009
【図８】
0006388601.tif 000010
【図９ａ−９ｂ】
0006388601.tif 000011
【図１０】
0006388601.tif 000012
【図１１】
0006388601.tif 000013
【図１２】
0006388601.tif 000014
【図１３】
0006388601.tif 000015
【図１４】
0006388601.tif 000016
【図１５】
0006388601.tif 000017
【図１６】
0006388601.tif 000018
【図１７】
0006388601.tif 000019
【図１８】
0006388601.tif 000020
【図１９】
0006388601.tif 000021
【図２０】
0006388601.tif 000022